【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
コンピュータシステムにおいて、リングのツリー内のノードの副次リングセットエントリテーブルを保持する方法であって、
前記ノードの副次リングセットエントリを格納するように構成された副次リングセットエントリテーブルにアクセスするノードの動作であって、各副次リングセットエントリは、前記ノードの副次リングおよび前記ノードの前記副次リングへの少なくとも１つの対応するエントリノードを示すように構成された動作と、
リングの前記ツリーの前記構成に関連する情報を保持する使用可能なリソースから副次リングセットエントリテーブル情報を発見する動作と、
前記発見された副次リングセットエントリテーブル情報に基づいて適切な副次リングセットエントリ状態で前記副次リングセットエントリテーブルを更新する動作であって、前記適切な副次リングセットエントリ状態は、前記ノードの副次リングおよび前記ノードの前記副次リングへの少なくとも１つの対応するエントリノードを含む動作と
を備えることを特徴とする方法。
【請求項２】
副次リングセットエントリテーブルにアクセスするノードの前記動作は、副次リング／エントリノード項目を保持する副次リングセットエントリテーブルにアクセスする動作を備えることを特徴とする、請求項１に記載の方法。
【請求項３】
副次リングセットエントリテーブルにアクセスするノードの前記動作は、前記ノードの副次リングセットエントリテーブルを作成する動作を備えることを特徴とする、請求項１に記載の方法。
【請求項４】
使用可能なリソースから副次リングセットエントリテーブル情報を発見する前記動作は、前記ノードに使用可能なローカル情報から副次リングセットエントリテーブル情報を発見する動作を備えることを特徴とする、請求項１に記載の方法。
【請求項５】
使用可能なリソースから副次リングセットエントリテーブル情報を発見する前記動作は、受信したメッセージに含まれている副次リングセットエントリテーブル情報を発見する動作を備えることを特徴とする、請求項１に記載の方法。
【請求項６】
受信したメッセージに含まれている副次リングセットエントリテーブル情報を発見する前記動作は、別のフェデレーションノードから受信したメッセージに含まれている副次リングセットエントリテーブル情報を発見する動作を備えることを特徴とする、請求項５に記載の方法。
【請求項７】
別のフェデレーションノードから受信したメッセージに含まれている副次リングセットエントリテーブル情報を発見する前記動作は、ｐｉｎｇメッセージから副次リングセットエントリテーブル情報を発見する動作を備えることを特徴とする、請求項６に記載の方法。
【請求項８】
別のフェデレーションノードから受信したメッセージに含まれている副次リングセットエントリテーブル情報を発見する前記動作は、更新メッセージから副次リングセットエントリテーブル情報を発見する動作を備えることを特徴とする請求項６に記載の方法。
【請求項９】
別のフェデレーションノードから受信したメッセージに含まれている副次リングセットエントリテーブル情報を発見する前記動作は、更新応答から副次リングセットエントリテーブル情報を発見する動作を備えることを特徴とする、請求項６に記載の方法。
【請求項１０】
受信したメッセージに含まれている副次リングセットエントリテーブル情報を発見する前記動作は、アプリケーションメッセージから副次リングセットエントリテーブル情報を発見する動作を備えることを特徴とする、請求項５に記載の方法。
【請求項１１】
使用可能なリソースから副次リングセットエントリテーブル情報を発見する前記動作は、使用可能なリソースから１つまたは複数の副次リング／エントリノード項目を発見する動作を備えることを特徴とする、請求項１に記載の方法。
【請求項１２】
副次リングセットエントリテーブル情報を発見する前記動作は、副次リングセットエントリが前記副次リングセットエントリテーブル情報から削除されるべきであることを示す副次リングセットエントリテーブル情報を発見する動作を備えることを特徴とする、請求項１に記載の方法。
【請求項１３】
副次リングセットエントリテーブル情報を発見する前記動作は、副次リングセットエントリが前記副次リングセットエントリテーブル情報に追加されるべきであることを示す副次リングセットエントリテーブル情報を発見する動作を備えることを特徴とする、請求項１に記載の方法。
【請求項１４】
副次リングセットエントリテーブル情報を発見する前記動作は、前記ノードの副次リングセットエントリテーブル内の既存の副次リングセットエントリが変更されるべきであることを示す副次リングセットエントリテーブル情報を発見する動作を備えることを特徴とする、請求項１に記載の方法。
【請求項１５】
副次リングセットエントリテーブル情報を発見する前記動作は、別のノードの副次リングセットエントリテーブルの少なくとも一部を含むメッセージにアクセスする動作を備えることを特徴とする、請求項１に記載の方法。
【請求項１６】
副次リングセットエントリテーブル情報を発見する前記動作は、前記ノードがメンバーである１つまたは複数の近傍域リングのルーティングテーブル情報にアクセスする動作を備えることを特徴とする、請求項１に記載の方法。
【請求項１７】
前記発見された副次リングセットエントリテーブル情報に基づいて適切な副次リングセットエントリ状態で前記副次リングセットエントリテーブルを更新する前記動作は、前記副次リングセットエントリテーブルに副次リングセットエントリテーブル情報を追加する動作を備えることを特徴とする、請求項１に記載の方法。
【請求項１８】
前記副次リングセットエントリテーブルに副次リングセットエントリテーブル情報を追加する前記動作は、副次リング／エントリノード項目を前記副次リングセットエントリテーブルに追加する動作を備えることを特徴とする、請求項１７に記載の方法。
【請求項１９】
前記発見された副次リングセットエントリテーブル情報に基づいて適切な副次リングセットエントリ状態で前記副次リングセットエントリテーブルを更新する前記動作は、前記副次リングセットエントリテーブルから副次リングセットエントリテーブル情報を削除する動作を備えることを特徴とする、請求項１に記載の方法。
【請求項２０】
前記副次リングセットエントリテーブルから副次リングセットエントリテーブル情報を削除する前記動作は、副次リング／エントリノード項目を前記副次リングセットエントリテーブルから削除する動作を備えることを特徴とする、請求項１９に記載の方法。
【請求項２１】
副次リングセット情報を１つまたは複数のその他のノードに送信して、前記１つまたは複数のその他のノードがそれらの対応する副次リングセットエントリテーブルを保持することを補助する前記ノードの動作をさらに備えることを特徴とする、請求項１に記載の方法。
【請求項２２】
副次リングセットエントリ状態を送信する前記ノードの前記動作は、その副次リングセットエントリテーブル全体を送信する前記ノードの動作を備えることを特徴とする請求項２１に記載の方法。
【請求項２３】
リングのツリー内のノードの副次リングセットエントリテーブルを保持する方法をコンピュータシステムに実行させるコンピュータ実行可能命令を格納した１つまたは複数のコンピュータ読取り可能記憶媒体であって、
前記方法が、
前記ノードの副次リングセットエントリを格納するように構成された副次リングセットエントリテーブルにアクセスすることであって、各副次リングセットエントリは、前記ノードの副次リングおよび前記ノードの前記副次リングへの少なくとも１つの対応するエントリノードを示すように構成されるステップと、
リングの前記ツリーの前記構成に関連する情報を保持する使用可能なリソースから副次リングセットエントリテーブル情報を発見するステップと、
前記発見された副次リングセットエントリテーブル情報に基づいて、適切な副次リングセットエントリ状態で前記副次リングセットエントリテーブルを更新するステップであって、前記適切な副次リングセットエントリ状態は、前記ノードの副次リングおよび前記ノードの前記副次リングへの少なくとも１つの対応するエントリノードを含むステップと
を含むことを特徴とするコンピュータ読取り可能記憶媒体。
【請求項２４】
前記コンピュータ読取り可能記憶媒体は、システムメモリを備えることを特徴とする、請求項２３に記載のコンピュータ読取り可能記憶媒体。
【請求項２５】
前記コンピュータ読取り可能記憶媒体は、磁気ディスクを備えることを特徴とする、請求項２３記載のコンピュータプログラム読取り可能記憶媒体。